(57)【要約】【課題】使用環境や装着具の装着状況に合わせて様々な態様にすることができ、インナーへのスルーアクセスなど利便性に優れるとともに、着用時の動作性、作業性が向上するジャケットを提供する。【解決手段】前身頃部１の左側に位置する前身頃左側部２と右側に位置する前身頃右側部３の夫々に、前身頃胸部から前身頃裾部、若しくは前身頃肩部から前身頃裾部に亘って、該前身頃左側部２及び前身頃右側部３を夫々、左右方向に分断する前身頃左側部分断スライドファスナー部４及び前身頃右側部分断スライドファスナー部５を設けるとともに、この前身頃左側部分断スライドファスナー部４及び前身頃右側部分断スライドファスナー部５に両開き（逆開）スライドファスナーを用いる。【選択図】図２
2018066091.tif 000002
【特許請求の範囲】
【請求項１】
前身頃部の左側に位置する前身頃左側部の前身頃左側胸部から前身頃左側裾部、若しくは前身頃左側肩部から前身頃左側裾部に亘って、該前身頃左側部を左右方向に分断する前身頃左側部分断スライドファスナー部が設けられているとともに、前記前身頃の右側に位置する前身頃右側部の前身頃右側胸部から前身頃右側裾部、若しくは前身頃右側肩部から前身頃右側裾部に亘って、該前身頃右側部を左右方向に分断する前身頃右側部分断スライドファスナー部が設けられており、前記前身頃左側部分断スライドファスナー部は、前身頃左側胸部若しくは前身頃左側肩部に配される左側部分断用上スライダー部と前身頃左側裾部に配される左側部分断用下スライダー部を有し、前記左側部分断用上スライダー部を下方側に向けてスライド移動させると、このスライド移動量に応じた大きさの前記前身頃左側部の内外を連通状態にする前身頃左上側分断部が形成され、前記左側部分断用下スライダー部を上方側に向けてスライド移動させると、このスライド移動量に応じた大きさの前記前身頃左側部の内外を連通状態にする前身頃左下側分断部が形成される構成とされ、前記前身頃右側部分断スライドファスナー部は、前身頃右側胸部若しくは前身頃右側肩部に配される右側部分断用上スライダー部と前身頃右側裾部に配される右側部分断用下スライダー部を有し、前記右側部分断用上スライダー部を下方側に向けてスライド移動させると、このスライド移動量に応じた大きさの前記前身頃右側部の内外を連通状態にする前身頃右上側分断部が形成され、前記右側部分断用下スライダー部を上方側に向けてスライド移動させると、このスライド移動量に応じた大きさの前記前身頃右側部の内外を連通状態にする前身頃右下側分断部が形成される構成とされていることを特徴とするジャケット。
【請求項２】
前記左側部分断用下スライダー部のスライド操作により形成された前記前身頃左下側分断部及び前記右側部分断用下スライダー部のスライド操作により形成された前記前身頃右下側分断部の夫々の分断裾端部同士を着脱自在に係着する係着部材が設けられていることを特徴とする請求項１記載のジャケット。
【請求項３】
前記前身頃左側部と前記前身頃右側部とが前身頃中央部分断スライドファスナー部により分離自在に接合されており、この前身頃中央部分断スライドファスナー部は、中央部分断用上スライダー部と中央部分断用下スライダー部との二体のスライダー部を有する両開きスライドファスナーであることを特徴とする請求項１，２のいずれか１項に記載のジャケット。
【発明の詳細な説明】
【技術分野】
【０００１】
本発明は、防水や防風（防寒）を目的として衣服を重ね着した際の一番上（外側）に着用するジャケットに関するものである。
【背景技術】
【０００２】
登山やトレッキングをする際は、突然の雨や気温の低下に備え、通常の衣服（例えば登山用のシャツやベスト等）の上に更に防水・防寒機能を有する衣服（以下、ジャケットという）を着用することが多い。
【０００３】
また、この登山やトレッキングにおいては、ザック（リュックサック）やウエストバッグなどの収納具を装着することは当然の行為で有り、更に状況によってはハーネス等も装着することがある。
【０００４】
これら装着具の装着用ベルトは、大半のものは着用者の腰部や腹部あたりに位置する構造になっている。そのため、現状、このジャケットを着用した状態でザックやウエストバッグ、ハーネス等の装着具を装着すると、ジャケットの下部側が装着具の装着用ベルトで押さえ付けられ、このような状況で着用者が例えば屈んだり伸び上がったりするなどの大きな動作をすることで位置ずれしたジャケットが元の位置に戻らず、これにより、ジャケットにたるみが生じてしまい、着心地が悪化したり着用者の動作性が低下したりする不具合が生じる。また更に、この装着用ベルトの押さえ付けによりジャケット前身頃を左右に分離開放状態にしてジャケット下の衣服にアクセスする操作が容易でなくなり、このジャケット下の衣服のポケットへの収納物の出し入れがし難くなる等の不具合も生じる。
【発明の概要】
【発明が解決しようとする課題】
【０００５】
本発明は、上述のような現状に鑑みなされたもので、ジャケット着用状態でザックやウエストバッグ、ハーネス等の装着具を装着しても、装着用ベルトの押さえ付けによるジャケットのたるみが生じず、また、ジャケット前身頃を左右に分離開放状態にしなくてもジャケット下の衣服へのアクセスが可能となる使い勝手の良いジャケットを提供することを目的とする。
【課題を解決するための手段】
【０００６】
添付図面を参照して本発明の要旨を説明する。
【０００７】
前身頃部１の左側に位置する前身頃左側部２の前身頃左側胸部から前身頃左側裾部、若しくは前身頃左側肩部から前身頃左側裾部に亘って、該前身頃左側部２を左右方向に分断する前身頃左側部分断スライドファスナー部４が設けられているとともに、前記前身頃１の右側に位置する前身頃右側部３の前身頃右側胸部から前身頃右側裾部、若しくは前身頃右側肩部から前身頃右側裾部に亘って、該前身頃右側部３を左右方向に分断する前身頃右側部分断スライドファスナー部５が設けられており、前記前身頃左側部分断スライドファスナー部４は、前身頃左側胸部若しくは前身頃左側肩部に配される左側部分断用上スライダー部６Ａと前身頃左側裾部に配される左側部分断用下スライダー部６Ｂを有し、前記左側部分断用上スライダー部６Ａを下方側に向けてスライド移動させると、このスライド移動量に応じた大きさの前記前身頃左側部２の内外を連通状態にする前身頃左上側分断部８Ａが形成され、前記左側部分断用下スライダー部６Ｂを上方側に向けてスライド移動させると、このスライド移動量に応じた大きさの前記前身頃左側部２の内外を連通状態にする前身頃左下側分断部８Ｂが形成される構成とされ、前記前身頃右側部分断スライドファスナー部５は、前身頃右側胸部若しくは前身頃右側肩部に配される右側部分断用上スライダー部７Ａと前身頃右側裾部に配される右側部分断用下スライダー部７Ｂを有し、前記右側部分断用上スライダー部７Ａを下方側に向けてスライド移動させると、このスライド移動量に応じた大きさの前記前身頃右側部３の内外を連通状態にする前身頃右上側分断部９Ａが形成され、前記右側部分断用下スライダー部７Ｂを上方側に向けてスライド移動させると、このスライド移動量に応じた大きさの前記前身頃右側部３の内外を連通状態にする前身頃右下側分断部９Ｂが形成される構成とされていることを特徴とするジャケットに係るものである。
【０００８】
また、前記左側部分断用下スライダー部６Ｂのスライド操作により形成された前記前身頃左下側分断部８Ｂ及び前記右側部分断用下スライダー部７Ｂのスライド操作により形成された前記前身頃右下側分断部９Ｂの夫々の分断裾端部同士を着脱自在に係着する係着部材10が設けられていることを特徴とする請求項１記載のジャケットに係るものである。
【０００９】
また、前記前身頃左側部２と前記前身頃右側部３とが前身頃中央部分断スライドファスナー部11により分離自在に接合されており、この前身頃中央部分断スライドファスナー部11は、中央部分断用上スライダー部12Ａと中央部分断用下スライダー部12Ｂとの二体のスライダー部を有する両開きスライドファスナーであることを特徴とする請求項１，２のいずれか１項に記載のジャケットに係るものである。
【発明の効果】
【００１０】
本発明は上述のように構成したから、ザックやウエストバッグ、ハーネス等の装着具を装着する際、これら装着具の装着用ベルトを、ジャケットを押さえ付けることなく装着することができ、これにより、ジャケットのたるみが生じるおそれがなくなり、着心地の悪化や動作性の低下の不具合の発生が解消される。
【００１１】
また、ジャケット前身頃部を左右に分離開放状態にしなくてもジャケットの下に着用している衣服へのアクセスが可能となり、例えばジャケットの下に着用している衣服の胸ポケットに収納した収納物の出し入れが容易になったり、雨天時にジャケットの内側に収納したウエストバッグへのアクセスも容易となる等、極めて使い勝手の良い画期的なジャケットとなる。
【図面の簡単な説明】
【００１２】
【図１】本実施例を示す正面図である。
【図２】本実施例を示す説明正面図（分断部形成状態）である。
【図３】本実施例を示す説明正面図（分断部形成状態）である。
【図４】本実施例を示す説明正面図（分断部形成状態）である。
【図５】本実施例を示す説明正面図（分断部形成状態）である。
【図６】本実施例を示す説明正面図（分断部形成状態）である。
【図７】本実施例を示す説明正面図（分断部形成状態）である。
【図８】本実施例を示す説明正面図（分断部形成状態）である。
【図９】本実施例の使用状態の一例を示す説明図である。
【図１０】本実施例の使用状態の一例を示す説明図である。
【図１１】本実施例の使用状態の一例を示す説明図である。
【図１２】本実施例の使用状態の一例を示す説明図である。
【図１３】本実施例の使用状態の一例を示す説明図である。
【図１４】本実施例の使用状態の一例を示す説明図である。
【図１５】本実施例の使用状態の一例を示す説明図である。
【発明を実施するための形態】
【００１３】
好適と考える本発明の実施形態を、図面に基づいて本発明の作用を示して簡単に説明する。
【００１４】
前身頃左側部２に設けられた前身頃左側部分断スライドファスナー部４の左側部分断用上スライダー部６Ａを下方側に向けてスライド移動させると、この前身頃左側部分断スライドファスナー部４の上側部分の務歯接合が解除されて前身頃左側部２の胸部付近または肩部付近にこの左側部分断用上スライダー部６Ａが移動した距離に応じた長さ（大きさ）の前身頃左上側分断部８Ａ（開口部）が形成され、また、この前身頃左側部分断スライドファスナー部４の左側部分断用下スライダー部６Ｂを上方側に向けてスライド移動させると、この前身頃左側部分断スライドファスナー部４の下側部分の務歯接合が解除されて前身頃左側部２の裾部から上方に向けてこの左側部分断用下スライダー部６Ｂが移動した距離に応じた長さの前身頃左下側分断部８Ｂ（切り込み部）が形成され、この前身頃左上側分断部８Ａや前身頃左下側分断部８Ｂにより前身頃左側部２の内外が連通状態になる。
【００１５】
また、前述した前身頃左側部２と同様に、前身頃右側部３に設けられた前身頃右側部分断スライドファスナー部５の右側部分断用上スライダー部７Ａを下方側に向けてスライド移動させると、この前身頃右側部分断スライドファスナー部５の上側部分の務歯接合が解除されて前身頃右側部３の胸部付近または肩部付近にこの右側部分断用上スライダー部７Ａが移動した距離に応じた長さ（大きさ）の前身頃右上側分断部９Ａ（開口部）が形成され、また、この前身頃右側部分断スライドファスナー部５の右側部分断用下スライダー部７Ｂを上方側に向けてスライド移動させると、この前身頃右側部分断スライドファスナー部５の下側部分の務歯接合が解除されて前身頃右側部３の裾部から上方に向けてこの右側部分断用下スライダー部７Ｂが移動した距離に応じた長さの前身頃右下側分断部９Ｂ（切り込み部）が形成され、この前身頃右上側分断部９Ａや前身頃右下側分断部９Ｂにより前身頃右側部３の内外が連通状態になる。
【００１６】
即ち、本発明のジャケットは、前身頃部１に配される左側部分断用上スライダー部６Ａ、右側部分断用上スライダー部７Ａ、左側部分断用下スライダー部６Ｂ、右側部分断用下スライダー部７Ｂの四つのスライダー部の操作により、この前身頃部１にジャケットの内外を連通状態にする前身頃左上側分断部８Ａ、前身頃右上側分断部９Ａ、前身頃左下側分断部８Ｂ及び前身頃右下側分断部９Ｂの計四つ分断部（開口部または切り込み部）を所望の箇所に所望の大きさで形成することができ、これにより、前身頃部１の前身頃左側部２と前身頃右側部３とを分断開放状態にしなくても、前身頃左上側分断部８Ａ、前身頃右上側分断部９Ａ、前身頃左下側分断部８Ｂ及び前身頃右下側分断部９Ｂを通じて容易にジャケット内にアクセスできるようになり、例えば、ジャケットの下に着用した衣服のポケットに収納した収納物の出し入れが容易になったり、雨天時にジャケット下に収納したウエストバッグ20へのアクセスも容易となる。
【００１７】
また、例えば、ザックやウエストバッグ20、ハーネス21等の装着用ベルト22を装着する際、左側部分断用下スライダー部６Ｂと右側部分断用下スライダー部７Ｂとをスライド操作して前身頃左側部２の下部側と前身頃右側部３の下部側に夫々、前身頃左下側分断部８Ｂと前身頃右下側分断部９Ｂをほぼ同じ位置に装着用ベルト22を挿通可能な大きさで形成し、この前身頃左下側分断部８Ｂ及び前身頃右下側分断部９Ｂに装着用ベルト22を挿通させることで、前身頃部１の正面部において装着用ベルト22をジャケットの内側に配することができ、これにより、装着用ベルト22によるジャケットの押さえ付けが低減して、ジャケットのたるみの発生を可及的に抑制することができ、着心地の悪化や動作性の低下を可及的に防止し、しかも、この前身頃左下側分断部８Ｂと前身頃右下側分断部９Ｂを形成することで、これらがサイドベンツの役割を果たし、これにより、より一層着用者の動作性が向上する。
【００１８】
また更に、各分断部はベルト挿通口やジャケット下（内側）の収納物へのアクセス部以外に、ジャケット内外の換気口（ベンチレーション）としても機能する。
【００１９】
このように、本発明は、利便性に優れるとともに、着用者の動作性、作業性が向上する極めて実用性に優れた画期的なジャケットとなる。
【実施例】
【００２０】
本発明の具体的な実施例について図面に基づいて説明する。
【００２１】
本実施例は、ザック（リュックサック）やウエストバッグ20、ハーネス21等を装着して行動する登山やトレッキングなどのアウトドアスポーツをする際に、防雨（防水）や防風（防寒）を目的として衣服を重ね着した際の一番上（外側）に着用するのに好適なジャケットに係るものである。
【００２２】
具体的には、本実施例は、前身頃部１の左側に位置する前身頃左側部２の前身頃左側胸部から前身頃左側裾部、若しくは前身頃左側肩部から前身頃左側裾部に亘って、この前身頃左側部２を左右方向に分断する前身頃左側部分断スライドファスナー部４が設けられ、また、前身頃１の右側に位置する前身頃右側部３の前身頃右側胸部から前身頃右側裾部、若しくは前身頃右側肩部から前身頃右側裾部に亘って、この前身頃右側部３を左右方向に分断する前身頃右側部分断スライドファスナー部５が設けられており、この前身頃左側部分断スライドファスナー部４及び前身頃右側部分断スライドファスナー部５の開閉操作により前身頃部１の前身頃左側部２及び前身頃右側部３にジャケット内外を連通する分断部（開口部または切り込み部）を形成することができるジャケットである。
【００２３】
以下、本実施例に係る構成各部について詳述する。
【００２４】
本実施例の前身頃部１、即ち、前身頃左側部２と前身頃右側部３は夫々防水性、防寒性を有する素材（例えばナイロン）で形成されている。
【００２５】
また、この前身頃左側部２に設けられている前身頃左側部分断スライドファスナー部４は、この前身頃左側部２の胸部から裾部（この前身頃左側部２の下端部）に亘って設けられている。
【００２６】
具体的には、本実施例の前身頃左側部分断スライドファスナー部４は、前身頃左側部２の側部側寄り（左脇下部寄り）に鉛直方向に沿って一直線状に設けられている。
【００２７】
また、本実施例の前身頃左側部分断スライドファスナー部４は、スライダー部を二体有する両開き（逆開）スライドファスナーである。
【００２８】
即ち、本実施例の前身頃左側部分断スライドファスナー部４は、全閉状態において、上端部に配される左側部分断用上スライダー部６Ａと、下端部に配される左側部分断用下スライダー部６Ｂの二体のスライダー部を有し、上端部に配された左側部分断用上スライダー部６Ａを下方側に向けてスライド移動させることで、この左側部分断用上スライダー部６Ａの移動量に応じて前身頃左側部分断スライドファスナー部４の上部側の務歯接合が解除されて、前身頃左側部２の胸部付近に前身頃左上側分断部８Ａを形成することができ、また、下端部に配された左側部分断用下スライダー部６Ｂを上方側に向けてスライド移動させることで、この左側部分断用下スライダー部６Ｂの移動量に応じて前身頃左側部分断スライドファスナー部４の下部側の務歯接合が解除されて、前身頃左側部２の下側（腰部から腹部付近）に前身頃左下側分断部８Ｂを形成することができる構成とされている。
【００２９】
具体的には、前身頃左上側分断部８Ａは縦長開口部に形成され、また、前身頃左下側分断部８Ｂは下方側から上方側に切り込まれる切り込み部に形成される構成とされている。
【００３０】
また、上端部に配された左側部分断用上スライダー部６Ａを最下部まで移動させる、或いは下端部に配された左側部分断用下スライダー部６Ｂを最上部まで移動させることで前身頃左上側分断部８Ａと前身頃左下側分断部８Ｂとが一体化した、即ち前身頃左上側分断部８Ａと前身頃左下側分断部８Ｂとの区別がない前身頃左側部２の胸部から裾部間を連続的に左右に分断する長尺切り込み部を形成することができる構成とされている。
【００３１】
また、前身頃右側部３に設けられている前身頃右側部分断スライドファスナー部５は、前述した前身頃左側部分断スライドファスナー部４と同様の構成とされ、前身頃右側部３の胸部から裾部（この前身頃右側部３の下端部）に亘って設けられている。
【００３２】
具体的には、本実施例の前身頃右側部分断スライドファスナー部５は、前身頃右側部３の側部側寄り（右脇下部寄り）に鉛直方向に沿って一直線状に設けられている。
【００３３】
また、本実施例の前身頃右側部分断スライドファスナー部５は、スライダー部を二体有する両開き（逆開）スライドファスナーである。
【００３４】
即ち、本実施例の前身頃右側部分断スライドファスナー部５は、全閉状態において、上端部に配される右側部分断用上スライダー部７Ａと、下端部に配される右側部分断用下スライダー部７Ｂの二体のスライダー部を有し、上端部に配された右側部分断用上スライダー部７Ａを下方側に向けてスライド移動させることで、この右側部分断用上スライダー部７Ａの移動量に応じて前身頃右側部分断スライドファスナー部５の上部側の務歯接合が解除されて、前身頃右側部３の胸部付近に前身頃右上側分断部９Ａを形成することができ、また、下端部に配された右側部分断用下スライダー部７Ｂを上方側に向けてスライド移動させることで、この右側部分断用下スライダー部７Ｂの移動量に応じて前身頃右側部分断スライドファスナー部５の下部側の務歯接合が解除されて、前身頃右側部３の下側（腰部から腹部付近）に前身頃右下側分断部９Ｂを形成することができる構成とされている。
【００３５】
具体的には、前身頃右上側分断部９Ａは縦長開口部に形成され、また、前身頃右下側分断部９Ｂは下方側から上方側に切り込まれる切り込み部に形成される構成とされている。
【００３６】
また、上端部に配された右側部分断用上スライダー部７Ａを最下部まで移動させる、或いは下端部に配された右側部分断用下スライダー部７Ｂを最上部まで移動させることで前身頃右上側分断部９Ａと前身頃右下側分断部９Ｂとが一体化した、即ち前身頃右上側分断部９Ａと前身頃右下側分断部９Ｂとの区別がない前身頃左側部２の胸部から裾部間を連続的に左右に分断する長尺切り込み部を形成することができる構成とされている。
【００３７】
また、本実施例は、左側部分断用下スライダー部６Ｂのスライド操作により形成された前身頃左下側分断部８Ｂ及び右側部分断用下スライダー部７Ｂのスライド操作により形成された前身頃右下側分断部９Ｂの夫々の分断裾端部同士を着脱自在に係着する係着部材10が設けられている構成とされている。
【００３８】
即ち、前述したように前身頃左下側分断部８Ｂ及び前身頃右下側分断部９Ｂは夫々、前身頃部１の下方側（裾部側）から上方側に向かって切り込まれる切り込み部に形成されるので、下端側（裾部側）が開放した遊離状態となるが、この分断され遊離状態となった裾部同士を係着部材10により係着することで、この切り込み部に形成された前身頃左下側分断部８Ｂ及び前身頃右下側分断部９Ｂを夫々、前身頃左上側分断部８Ａ及び前身頃右上側分断部９Ａと同様、開口部に形成することができる構成とされている。尚、本実施例では、この係着部材10にスナップボタンを採用しているが、面ファスナーや一般的なボタン（ボタンとボタンホール）にしても良い。
【００３９】
また、この前身頃左側部分断スライドファスナー部４が設けられた前身頃左側部２と、前身頃右側部分断スライドファスナー部５が設けられた前身頃右側部３は、前身頃中央部分断スライドファスナー部11により分離自在に接合されている構成とされている。
【００４０】
具体的には、この前身頃中央部分断スライドファスナー部11は、前身頃部１の中央部、即ち前身頃左側部２と前身頃右側部３との境界部に、この前身頃部１の上端部（首部付近）から下端部（裾部）に亘って設けられており、中央部分断用上スライダー部12Ａと中央部分断用下スライダー部12Ｂとの二体のスライダー部を有する両開き（逆開）スライドファスナーであり、中央部分断用上スライダー部12Ａを下方側に向けてスライド移動させることで、この中央部分断用上スライダー部12Ａの移動量に応じて前身頃中央部分断スライドファスナー部11の上部側の務歯接合が解除されて、前身頃部１の中央部上側（首部から胸部付近）に前身頃中央上側分断部13Ａ（切り込み部）を形成することができ、中央部分断用下スライダー部12Ｂを上方側に向けてスライド移動させることで、この中央部分断用下スライダー部12Ｂの移動量に応じて前身頃中央部分断スライドファスナー部11の下部側の務歯接合が解除されて、前身頃部１の中央部下側（裾部から腹部付近）に前身頃中央下側分断部13Ｂ（切り込み部）を形成することができる構成とされている。
【００４１】
尚、前述した前身頃左側部分断スライドファスナー部４、前身頃右側部分断スライドファスナー部５、前身頃中央部分断スライドファスナー部11のいずれのファスナーも防水性を有する止水ファスナーである。
【００４２】
このように、本実施例は、ジャケットの前身頃部１に前身頃左側部分断スライドファスナー部４と前身頃右側部分断スライドファスナー部５と前身頃中央部分断スライドファスナー部11の三つの分断スライドファスナー部が設けられており、これらに付設された左側部分断用上スライダー部６Ａ、左側部分断用下スライダー部６Ｂ、右側部分断用上スライダー部７Ａ、右側部分断用下スライダー部７Ｂ、中央部分断用上スライダー部12Ａ及び中央部分断用下スライダー部12Ｂの六つのスライダー部のスライド移動操作により、図２〜図８に示すように、この前身頃部１にジャケットの内外を連通状態にする前身頃左上側分断部８Ａ、前身頃左下側分断部８Ｂ、前身頃右上側分断部９Ａ、前身頃右下側分断部９Ｂ、前身頃中央上側分断部13Ａ及び前身頃中央下側分断部13Ｂの計六つ分断部（開口部または切り込み部）を所望の箇所に所望の大きさで形成することができる。
【００４３】
これにより、本実施例を着用した状態でウエストバッグ20を装着する場合、例えば、図９に示すように、左側部分断用下スライダー部６Ｂと右側部分断用下スライダー部７Ｂとをスライド操作して前身頃左側部２の下部側と前身頃右側部３の下部側に夫々、前身頃左下側分断部８Ｂと前身頃右下側分断部９Ｂをほぼ同じ位置に装着用ベルト22を挿通可能な大きさで形成し、この前身頃左下側分断部８Ｂ及び前身頃右下側分断部９Ｂに装着用ベルト22を挿通させることで、前身頃部１の正面部において装着用ベルト22をジャケットの内側に配することができ、これにより、装着用ベルト22によるジャケットの押さえ付けを低減して、ジャケットのたるみの発生を可及的に抑制することができ、着心地の悪化や動作性の低下を可及的に防止することができる。
【００４４】
また、例えば、ウエストバッグ20を正面側に配置する場合も、図１０に示すように、ウエストバッグ20のみをジャケットの内側に配置することができ、このウエストバッグ20によるジャケットの押さえ付けを抑制することができる。
【００４５】
また、本実施例は、前身頃左上側分断部８Ａ、前身頃左下側分断部８Ｂ、前身頃右上側分断部９Ａ、前身頃右下側分断部９Ｂ、前身頃中央上側分断部13Ａ及び前身頃中央下側分断部13Ｂを形成することで、前身頃部１の前身頃左側部２と前身頃右側部３とを分断開放状態にしなくても、容易にジャケット内にアクセスすることができるようになり、例えば、本実施例の下に着用している衣服の左胸ポケットにアクセスしたい場合は、左側部分断用上スライダー部６Ａを操作し前身頃左上側分断部８Ａを形成すれば、この前身頃左上側分断部８Ａを介して容易に内側の左胸ポケットにアクセスすることができ、また、降雨によりウエストバッグ20を本実施例の内側に収納した状態にしても、図１１〜１４に示すように、例えば右側部分断用上スライダー部７Ａや右側部分断用下スライダー部７Ｂを操作して前身頃右上側分断部９Ａ、前身頃右下側分断部９Ｂを形成する、或いは、中央部分断用下スライダー部12Ｂを操作して前身頃中央下側分断部13Ｂを形成すれば、この形成した分断部（開口部や切り込み部）を介して容易にウエストバッグ20内の収納物の出し入れが可能となる。
【００４６】
また、例えば、ジャケットの押さえ付けを回避するため、ジャケットの内側にハーネス21を装着した場合でも、図１５に示すように、中央部分断用下スライダー部12Ｂを操作して前身頃中央下側分断部13Ｂを形成すれば、前身頃部１をめくりあげなくてもジャケット内のハーネス21を使用することができるようになる。
【００４７】
また、本実施例は、前身頃左下側分断部８Ｂと前身頃右下側分断部９Ｂを形成するとともに、係着部材10による分断裾端部同士の係着を解除して、この前身頃左上側分断部８Ａ及び前身頃右下側分断部９Ｂを切り込み部に形成することで、これらがサイドベンツの役割を果たすこととなり、これにより、着用時の動作性を一層向上させることができる。
【００４８】
また更に、本実施例の各分断部は、上述したベルト挿通口やジャケット下（内側）の収納物へのアクセス部以外に、ジャケット内外の換気口（ベンチレーション）としても機能する効果を発揮する。
【００４９】
このように、本実施例は、利便性に優れるとともに、着用者の動作性、作業性が向上する極めて実用性に優れた画期的なジャケットとなる。
【００５０】
尚、本発明は、本実施例に限られるものではなく、各構成要件の具体的構成は適宜設計し得るものである。
【符号の説明】
【００５１】
１  前身頃部
２  前身頃左側部
３  前身頃右側部
４  前身頃左側部分断スライドファスナー部
５  前身頃右側部分断スライドファスナー部
６Ａ  左側部分断用上スライダー部
６Ｂ  左側部分断用下スライダー部
７Ａ  右側部分断用上スライダー部
７Ｂ  右側部分断用下スライダー部
８Ａ  前身頃左上側分断部
８Ｂ  前身頃左下側分断部
９Ａ  前身頃右上側分断部
９Ｂ  前身頃右下側分断部
10  係着部材
11  前身頃中央部分断スライドファスナー部
12Ａ  中央部分断用上スライダー部
12Ｂ  中央部分断用下スライダー部
【図１】
2018066091.tif 000003
【図２】
2018066091.tif 000004
【図３】
2018066091.tif 000005
【図４】
2018066091.tif 000006
【図５】
2018066091.tif 000007
【図６】
2018066091.tif 000008
【図７】
2018066091.tif 000009
【図８】
2018066091.tif 000010
【図９】
2018066091.tif 000011
【図１０】
2018066091.tif 000012
【図１１】
2018066091.tif 000013
【図１２】
2018066091.tif 000014
【図１３】
2018066091.tif 000015
【図１４】
2018066091.tif 000016
【図１５】
2018066091.tif 000017